(57)【要約】【課題】保持部材がインシュレータから外れることを防止できる電気コネクタを提供する。【解決手段】本発明の電気コネクタは、収容空間及び前記収容空間の両側壁に形成される係合部を含むインシュレータと、前記インシュレータに装着される導電端子と、前記インシュレータに組付けられ、主体部、前記主体部から前記収容空間へ延出するように形成される舌片、及び前記主体部の両端部からそれぞれ前記舌片の延出方向に沿って延出するように形成される一対の係合アームを含む保持部材と、前記インシュレータに固持されるホルダとを含み、前記ホルダには前記インシュレータの係合部に係合し覆う係止片が設けられ、前記保持部材の係合アームが前記係止片と前記インシュレータの係合部とに係合し、これにより前記保持部材が開放状態において保持部材の前記インシュレータから外れることを防止できる。【選択図】図４
2007128875.tif 000002
【特許請求の範囲】
【請求項１】
収容空間及び前記収容空間の両側壁に形成される係合部を含むインシュレータと、
前記インシュレータに装着される導電端子と、
前記インシュレータに組付けられ、主体部、前記主体部から前記収容空間へ延出するように形成される舌片、及び前記主体部の両端部からそれぞれ前記舌片の延出方向に沿って延出するように形成される一対の係合アームを含む保持部材と、
前記インシュレータに固持されるホルダと、
を含む電気コネクタにおいて、
前記ホルダには前記インシュレータの係合部に係合し覆う係止片が設けられ、前記保持部材の係合アームが前記係止片と前記インシュレータの係合部とに係合し、これにより、前記保持部材が開放状態において保持部材の前記インシュレータから外れることを防止できることを特徴とする電気コネクタ。
【請求項２】
前記係合アームの末端に、錠止部が形成され、前記保持部材が開放状態の場合において、前記錠止部が前記ホルダの係止片と前記インシュレータの係合部とに係合することを特徴とする、請求項１に記載の電気コネクタ。
【請求項３】
前記係合部は、第１凸部と、該第１凸部より前記保持部材の主体部に隣接する第２凸部と、を含むことを特徴とする、請求項１に記載の電気コネクタ。
【請求項４】
前記ホルダの係止片が前記第２凸部に係合し覆っていることを特徴とする、請求項３に記載の電気コネクタ。
【請求項５】
前記ホルダには、前記係止片に略平行に延出するように形成される延出片が設けられることを特徴とする、請求項１に記載の電気コネクタ。
【請求項６】
前記インシュレータには貫通孔が形成され、前記ホルダには前記貫通孔に収容されるリード部が設けられることを特徴とする、請求項１に記載の電気コネクタ。
【請求項７】
前記ホルダの係止片が前記リード部に略垂直に延出するように形成されることを特徴とする、請求項６に記載の電気コネクタ。
【請求項８】
前記ホルダには、一対の半田部が互いに離隔する方向にそれぞれ延在するように形成されることを特徴とする、請求項１に記載の電気コネクタ。
【発明の詳細な説明】
【技術分野】
【０００１】
本発明は、電気コネクタに関し、特に、ＦＰＣ、ＦＦＣ等と一般に呼ばれている平型柔軟ケーブル（この明細書では、これらを総称して単に「ＦＰＣ」という）をプリント基板に接続するために用いられるＦＰＣ用電気コネクタに関するものである。
【背景技術】
【０００２】
従来技術の電気コネクタの一例として、特許文献１に開示された電気コネクタが知られ、この電気コネクタは、プリント基板に実装され、ＦＰＣを収容するための挿着空間が形成されるインシュレータと、インシュレータに装着される複数の導電端子と、インシュレータに組付けられる保持部材と、を含む。前記保持部材に前記挿着空間内に収容される舌片が設けられ、保持部材の舌片によって、ＦＰＣがインシュレータの挿着空間に固持されて前記導電端子との電気的な接続を達成できる。
【０００３】
また、前記保持部材の舌片の両側には係止アームがそれぞれ形成され、各係止アームの末端にはロック部がそれぞれ形成される。インシュレータの両端には係合凹部がそれぞれ形成され、各係合凹部には突起がそれぞれ形成される。保持部材がインシュレータ内に組付けられた際に、各係止アームがインシュレータの係合凹部に対応して係止されると共に、各ロック部が係合凹部の突起に係止される。これにより、保持部材がインシュレータ内に保持される。
【特許文献１】実用新案登録第２５８３６７０号公報
【発明の開示】
【発明が解決しようとする課題】
【０００４】
ところが、前記保持部材は、前記係止アームの末端に形成されるロック部がインシュレータの係合凹部の突起に係止することのみによって、インシュレータに保持される。しかし、前記インシュレータと保持部材とが一般に絶縁材料からなり、剛性が高くないので、保持部材がインシュレータに挿入または抜出する際に、作用力が大き過ぎると、保持部材がインシュレータから外れる可能性がある。更に、電気コネクタの使用寿命に影響する。そこで、上述した欠点を鑑みて、新型の電気コネクタを開発することが必要である。
【０００５】
本発明は、保持部材がインシュレータから外れることを防止できる電気コネクタを提供することを目的とする。
【課題を解決するための手段】
【０００６】
前記目的を達成するために、本発明の電気コネクタは、収容空間及び前記収容空間の両側壁に形成される係合部を含むインシュレータと、前記インシュレータに装着される導電端子と、前記インシュレータに組付けられ、主体部、前記主体部から前記収容空間へ延出するように形成される舌片、及び前記主体部の両端部からそれぞれ前記舌片の延出方向に沿って延出するように形成される一対の係合アームを含む保持部材と、前記インシュレータに固持されるホルダと、を含み、前記ホルダには前記インシュレータの係合部に係合し覆う係止片が設けられ、前記保持部材の係合アームが前記係止片と前記インシュレータの係合部とに係合し、これにより、前記保持部材が開放状態において保持部材の前記インシュレータから外れることを防止できることを特徴とする。
【発明の効果】
【０００７】
従来の技術に比べると、本発明には以下の長所がある。電気コネクタは、前記保持部材の係合アームが前記ホルダの係止片と前記インシュレータの係合部とに係合することにより、作用力が大きすぎると保持部材のインシュレータから外れることを防止できる。
【発明を実施するための最良の形態】
【０００８】
図１〜図７に基づいて、本発明の電気コネクタについて説明する。本実施状態において、電気コネクタがプリント基板（図示せず）に略垂直に実装され、即ち、電気コネクタと相手コネクタとの嵌合する方向がプリント基板の位置する平面に正交している。本発明の電気コネクタは、インシュレータ１と、インシュレータ１に装着される複数の導電端子と、インシュレータに組付けられる保持部材３と、一対の金属板をプレス加工して製作されるホルダ４とを含み、複数の導電端子は、第１端子２と第２端子２’とを含む。
【０００９】
前記インシュレータ１は、非導電材料により製作され、前壁１１と、前壁１１に平行な後壁１２と、該前壁１１及び後壁１２それぞれの両端部を相互に連結する一対の側壁（参照符号なし）を有し、且つ、これら前壁１１及び後壁１２、並びに一対の側壁によって収容空間１０と、を形成する。前壁１１に導電端子を収容するための第１端子溝１４が形成され、後壁１２には導電端子を収容するための第２端子溝１３が形成され、また、後壁１２の高さが前壁１１の高さより高くて、後壁１２の底部に隣接する両側端には、係止凹部１７が形成される。インシュレータ１の側壁は、外側に係合部がそれぞれ形成され、頂側に側壁を直交して貫通するように形成される貫通孔１６が設けられる。側壁に形成される係合部は、第１凸部１５１と、第１凸部１５１の上方に位置し、且つ、第１凸部１５１から離隔されている第２凸部１５２と、を含む。
【００１０】
前記導電端子２、２’は、基部２０、２０’と、基部２０、２０’から左右二列となって上方に延設された接触アーム２１、２１’と、保持アーム２２、２２’と、基部２０、２０’から延在された回路基板（図示せず）に接続するための端子部２３、２３’とからなる。前記端子部２３、２３’は、互いに離隔する方向へそれぞれ延出し、即ち、端子部２３は接触アーム２１に連接し、端子部２３’は保持アーム２２に連接している。導電端子２、２’はインシュレータ１の長手方向に沿って交互に並設され、接触アーム２１、２１’は前記第２端子溝１３に装着され、収容空間１０を露出している。保持アーム２２、２２’は前記第１端子溝１４に係合した状態で装着され、収容空間１０を露出している。端子部２３、２３’がインシュレータ１に交互に並設されることにより、端子部同士の間に大きい間隔を有し、半田付け作業に有利になる。
【００１１】
図２、図５及び図６に示す前記保持部材３は、左右対称の構造であり、主体部３１と、主体部３１から下向きに延出するように形成される舌片３２と、主体部３１の両端部からそれぞれ下向きに延出し、且つ、舌片３２を挟むように形成される一対の係合アーム３３と、を含む。該保持部材３がインシュレータ１に係合する際に、舌片３２はインシュレータ１の収容空間１０に位置して、導電端子２、２’の接触アーム２１、２１’と保持アーム２２、２２’との間に挟まれる。舌片３２は導電端子２、２’の保持アーム２２、２２’に押圧する前側３２１と、ＦＰＣを押圧する後側３２２とを有し、且つ後側３２２に主体部３１を貫通してＦＰＣの挿入をガイドするための案内溝３０が形成される。一対の係合アーム３３の外側が主体部３１に略垂直に延在し、末端の内側に前記インシュレータ１の係合部に係合される錠止部３３１が形成される。
【００１２】
前記ホルダ４は、リード部４１と、リード部４１の両側からそれぞれ一体に折曲し延出するように形成される係止片４２と、延出片４３と、半田部４４と、を含む。本実施状態において、前記係止片４２と延出片４３とが互いに平行するように延出している。前記半田部４４はリード部４１の底端から互いに離隔する方向へ延在するように形成される。リード部４１がインシュレータ１の側壁に形成される貫通孔１６に係合した状態で収容されることにより、ホルダ４はインシュレータ１に保持される。勿論、ホルダ４が他の保持方式によりインシュレータ１に保持され得る。
【００１３】
ホルダ４の延出片４３はインシュレータ１の後壁に形成される係止凹部１７に係合し収容される。他の実施状態において、電気コネクタがプリント基板に平行に実装される際に、該延出片４３がプリント基板に半田付けして得ることも明らかである。係止片４２がインシュレータ１の第２凸部１５２と係合し、係止片４２の底縁の大部分と、第２凸部１５２の底縁の大部分とが重なり合っている。保持部材３が図３及び図４のように開放状態においている際に、係止片４２と第２凸部１５２とが係止アーム３３の錠止部３３１に同時に係合することにより、作用力が大きくなるので、保持部材３がインシュレータ１から外れることを防止できる。
【００１４】
図３、図４、及び図５を参照すると、取付けた際に、導電端子が下方からインシュレータ１に装着される。ホルダ４も下方からインシュレータ１に挿入され、そのリード部４１がインシュレータ１の貫通溝１６に干渉し収容され、その延出片４３がインシュレータ１の係止凹部１７に包囲し係合され、その係止片４２がインシュレータ１の第２凸部１５２を覆っている。前記保持部材３は、上方からインシュレータ１の収容空間１０に挿入され、舌片３２が収容空間に収容され、係合アーム３３がインシュレータ１の係合部に沿って下向きにスライドしている。前記錠止部３３１がインシュレータ１の第２凸部１５２とホルダ４の係止片４２の下縁とに係合した際に、保持部材３が開放状態（図３と図４に示す）において、ＦＰＣを収容空間１０に案内溝３０に沿って挿入して、それから、保持部材３を下向きに押圧し続け、保持部材３の錠止部３３１が第１凸部１５１に係合して、保持部材３を閉鎖状態に位置させる。保持部材３の閉鎖状態において、ＦＰＣが舌片３２の後側３２２に圧接され、導電端子の接触アーム２１、２１’に電気的に接続している。
【００１５】
係止片４２がインシュレータ１の第２凸部１５２と保持部材３の錠止部３３１とに係合することにより、保持部材３の閉鎖状態から開放状態までの変化過程において、ホルダ４のインシュレータ１から外れにくくなる。本発明の電気コネクタがプリント基板に略平行に実装して得ることは明らかである。
【００１６】
以上、本発明について好ましい実施形態を参照して詳細に説明したが、実施形態はあくまでも例示的なものであり、これらに限定されるものではない。また上記説明は、本発明に基づいてなし得る細部の修正或は変更などは、いずれも本発明の技術的範囲に属するものである。
【図面の簡単な説明】
【００１７】
【図１】本発明に係る電気コネクタの組立斜視図である。
【図２】本発明に係る電気コネクタの分解斜視図である。
【図３】本発明に係る電気コネクタの組立斜視図であり、保持部材が開放状態においての組立斜視図である。
【図４】図３に示す電気コネクタの他の角度から見た組立斜視図である
【図５】図１に示す電気コネクタの他の角度から見た組立斜視図である。
【図６】図５に示す電気コネクタのVI-VI線で切断した断面図である。
【符号の説明】
【００１８】
１  インシュレータ
２  導電端子
２’  導電端子
３  保持部材
４  ホルダ
１０  収容空間
１１  前壁
１２  後壁
１３  第２端子溝
１４  第１端子溝
１６  貫通溝
１７  係止凹部
２０  基部
２０’  基部
２１  接触アーム
２１’  接触アーム
２２  保持アーム
２２’  保持アーム
２３  端子部
２３’  端子部
３１  主体部
３２  舌片
３３  係合アーム
４１  リード部
４２  係止片
４３  延出片
４４  半田部
１５１  第１凸部
１５２  第２凸部
３２１  前側
３２２  後側
３３１  錠止部
【図１】
2007128875.tif 000003
【図２】
2007128875.tif 000004
【図３】
2007128875.tif 000005
【図４】
2007128875.tif 000006
【図５】
2007128875.tif 000007
【図６】
2007128875.tif 000008